(57)【要約】【課題】本発明は展示用携帯電話スタンドを開示した。【解決手段】本発明は展示用携帯電話スタンドを公示し、台座を含み、前記台座の中には駆動装置が設置され、前記駆動装置の上端には展示用スタンドと照明装置とが設置され、前記展示用スタンドの中には展示装置が左右対称に設置され、前記展示装置の上端には揺動装置が連結され、前記展示装置は前記展示用スタンドの中に設置された後合わせに開口したスライドチャンバを含み、前記スライドチャンバの中にはスライドブロックがスライド可能に設置され、本発明は全方位から携帯電話を展示できるだけでなく、台座をテーブルに固定することで装置の転覆を防げ、また、素早く携帯電話を取り出し、顧客に操作方法の展示も行われる。【選択図】図１
2020175145.tif 000002
【特許請求の範囲】
【請求項１】
正面視で、台座を含み、前記台座の中には駆動装置が設置され、前記駆動装置の上端には展示用スタンドと照明装置とが設置され、前記展示用スタンドの中には展示装置が左右対称に設置され、前記展示装置の上端には揺動装置が連結され、前記展示装置は前記展示用スタンドの中に設置された後合わせに開口したスライドチャンバを含み、前記スライドチャンバの中にはスライドブロックがスライド可能に設置され、前記スライドブロックの中にはねじ穴が上下に貫通するように設置され、前記ねじ穴の中にはネジボルトがネジ山によって連結され、前記展示用スタンドの中には下に開口したネジボルトチャンバが左右対称に設置され、前記ネジボルトチャンバと前記スライドチャンバとが連通しており、前記ネジボルトの下端には手動ブロックが固定的に連結され、前記ネジボルトの上端が前記揺動装置と連結されており、前記スライドブロックの中には後合わせに  開口した伸縮チャンバが設置され、前記伸縮チャンバの中には伸縮棒がスライド可能に設置され、前記伸縮棒のうち対称中心に近接した端と、前記伸縮チャンバのうち対称中心に近接した側の内壁との間には伸縮ばねが固定的に連結され、前記伸縮棒のうち対称中心から離れた端には吸引盤が回転可能に連結され、前記吸引盤の中には外部に開口した吸引盤チャンバが設置され、前記吸引盤のうち開口が対称中心に向いた側には連結溝が設置されており、前記連結溝の前後両側内壁の間には連結棒が固定的に連結され、前記スライドブロックの中には連結穴が前後に貫通するように設置され、前記連結棒が前記連結穴を貫通しており、前記展示用スタンドには固定ブロックが左右対称に、且つ固定的に連結され、前記固定ブロックの中には揺動チャンバが上下に貫通するように設置され、前記揺動チャンバの前後両側内壁の間には揺動棒が固定的に連結され、前記揺動棒のにはガラススタンドが回転可能に設置され、前記ガラススタンドの中にはガラス穴が前後に貫通するように設置され、前記揺動棒が前記ガラス穴を貫通しており、前記ガラススタンドの中には上に開口した展示チャンバが設置され、前記展示チャンバのうち対称中心に近接した側の内壁には外部に開口したガラス溝が連通するように  設置され、前記吸引盤は前記展示チャンバの中に伸びることができることを特徴とする展示用携帯電話スタンド。
【請求項２】
前記揺動装置は前記ネジボルトチャンバの上側内壁の中に連通するように設置されたギアチャンバを含み、前記ネジボルトの上端が前記ギアチャンバの中に伸びており、且つ下傘歯車と固定的に連結され、前記下傘歯車のうち対称中心から離れた端には上傘歯車が噛み合えるように連結され、前記上傘歯車のうち前記下傘歯車から離れた端には回転軸が固定的に連結され、前記展示用スタンドの中には後合わせに開口した支持棒チャンバが左右対称に設置され、前記支持棒チャンバの中には支持棒がスライド可能に設置され、前記支持棒の中にはネジ山チャンバが設置され、前記ネジ山チャンバのうち前記回転軸に近接した側の内壁には向かい合って開口した位置制限穴が連通するように設置され、前記回転軸が前記ネジ山チャンバの中に伸びており、且つネジ山ブロックと固定的に連結され、前記ネジ山ブロックと前記ネジ山チャンバとがネジ山によって連結され、前記ガラススタンドの中には前記支持棒に向いて開口した支持溝が設置され、前記支持溝の前後両側内壁にはスライド溝が連通するように設置され、前記スライド溝の間にはスライド棒がスライド可能に設置され、前記支持溝の中にはスライド棒チャンバが前後に貫通するように設置され、前記スライド棒が前記スライド棒チャンバを貫通していることを特徴とする請求項１に記載の展示用携帯電話スタンド。
【請求項３】
前記駆動装置は前記台座の中に設置された駆動チャンバを含み、前記駆動チャンバの中には下駆動歯車が回転可能に設置され、前記下駆動歯車の中にはモータ軸が固定的に連結され、前記駆動チャンバの下側内壁にはモータが固定的に設置され、前記モータ軸の下端が前記モータと伝動可能に連結され、前記下駆動歯車の左端には下従動歯車が噛み合えるように連結され、前記下従動歯車の中には長回転軸が固定的に連結され、前記長回転軸の上端が前記照明装置と連結され、前記下駆動歯車の上側には前記モータ軸に固定的に連結された上駆動歯車が回転可能に設置され、前記上駆動歯車の左端には上従動歯車が噛み合えるように連結され、前記上従動歯車のうち前記下従動歯車から離れた端には連結ブロックが固定的に設置され、前記連結ブロックの上端と前記展示用スタンドとが固定的に連結され、前記展示用スタンドの中には長回転軸チャンバが上下に貫通するように設置され、前記長回転軸チャンバの下端が前記連結ブロックと前記上従動歯車とを貫通しており、前記長回転軸の上端が前記長回転軸チャンバを貫通していることを特徴とする請求項１に記載の展示用携帯電話スタンド。
【請求項４】
前記照明装置は前記長回転軸の上端に固定的に連結された連結板を含み、前記連結板の中には電気伝導チャンバが左右対称に、且つ上下に貫通するに設置され、前記連結板の下端には電球が固定的に連結され、前記電球の上端には下電気伝導ブロックが固定的に連結され、前記電気伝導チャンバの中には上電気伝導ブロックがスライド可能に設置され、前記上電気伝導ブロックの上端には押しブロックが固定的に連結されていることを特徴とする請求項３に記載の展示用携帯電話スタンド。
【発明の詳細な説明】
【技術分野】
【０００１】
本発明は携帯電話スタンド分野に関わり、具体的には展示用携帯電話スタンドである。
【背景技術】
【０００２】
携帯電話ショップでは携帯電話を展示する必要があるが、ショーケースに置くと取りにくく、客  が携帯電話をうまく体験できなく、携帯電話を普通の展示用スタンドに置いて展示しても、接触などで簡単に落下し、経済的損失を被る。そのため、安全な展示用携帯電話スタンドの設計は必要であり、本発明は素早く携帯電話を取り出し、客に体験  してもらうことができ、また接触で倒れたりしない。
【先行技術文献】
【特許文献】
【０００３】
【特許文献１】中国特許出願公開第107172248号明細書
【発明の概要】
【発明が解決しようとする課題】
【０００４】
本発明は展示用携帯電話スタンドを提供し、既存技術にある上記の欠点を解消することを目的とする。
【課題を解決するための手段】
【０００５】
本発明は以下の技術プランを通じて実現する：本発明の展示用携帯電話スタンドは、台座を含み、前記台座の中には駆動装置が設置され、前記駆動装置の上端には展示用スタンドと照明装置とが設置され、前記展示用スタンドの中には展示装置が左右対称に設置され、前記展示装置の上端には揺動装置が連結され、前記展示装置は前記展示用スタンドの中に設置された後合わせに開口したスライドチャンバを含み、前記スライドチャンバの中にはスライドブロックがスライド可能に設置され、前記スライドブロックの中にはねじ穴が上下に貫通するように設置され、前記ねじ穴の中にはネジボルトがネジ山によって連結され、前記展示用スタンドの中には下に開口したネジボルトチャンバが左右対称に設置され、前記ネジボルトチャンバと前記スライドチャンバとが連通しており、前記ネジボルトの下端には手動ブロックが固定的に連結され、前記ネジボルトの上端が前記揺動装置と連結されており、前記スライドブロックの中には後合わせに  開口した伸縮チャンバが設置され、前記伸縮チャンバの中には伸縮棒がスライド可能に設置され、前記伸縮棒のうち対称中心に近接した端と、前記伸縮チャンバのうち対称中心に近接した側の内壁との間には伸縮ばねが固定的に連結され、前記伸縮棒のうち対称中心から離れた端には吸引盤が回転可能に連結され、前記吸引盤の中には外部に開口した吸引盤チャンバが設置され、前記吸引盤のうち開口が対称中心に向いた側には連結溝が設置されており、前記連結溝の前後両側内壁の間には連結棒が固定的に連結され、前記スライドブロックの中には連結穴が前後に貫通するように設置され、前記連結棒が前記連結穴を貫通しており、前記展示用スタンドには固定ブロックが左右対称に、且つ固定的に連結され、前記固定ブロックの中には揺動チャンバが上下に貫通するように設置され、前記揺動チャンバの前後両側内壁の間には揺動棒が固定的に連結され、前記揺動棒のにはガラススタンドが回転可能に設置され、前記ガラススタンドの中にはガラス穴が前後に貫通するように設置され、前記揺動棒が前記ガラス穴を貫通しており、前記ガラススタンドの中には上に開口した展示チャンバが設置され、前記展示チャンバのうち対称中心に近接した側の内壁には外部に開口したガラス溝が連通するように設置され、前記吸引盤は前記展示チャンバの中に伸びることができる。
【０００６】
更の技術プラン、前記揺動装置は前記ネジボルトチャンバの上側内壁の中に連通するように設置されたギアチャンバを含み、前記ネジボルトの上端が前記ギアチャンバの中に伸びており、且つ下傘歯車と固定的に連結され、前記下傘歯車のうち対称中心から離れた端には上傘歯車が噛み合えるように連結され、前記上傘歯車のうち前記下傘歯車から離れた端には回転軸が固定的に連結され、前記展示用スタンドの中には後合わせに開口した支持棒チャンバが左右対称に設置され、前記支持棒チャンバの中には支持棒がスライド可能に設置され、前記支持棒の中にはネジ山チャンバが設置され、前記ネジ山チャンバのうち前記回転軸に近接した側の内壁には向かい合って開口した位置制限穴が連通するように設置され、前記回転軸が前記ネジ山チャンバの中に伸びており、且つネジ山ブロックと固定的に連結され、前記ネジ山ブロックと前記ネジ山チャンバとがネジ山によって連結され、前記ガラススタンドの中には前記支持棒に向いて開口した支持溝が設置され、前記支持溝の前後両側内壁にはスライド溝が連通するように設置され、前記スライド溝の間にはスライド棒がスライド可能に設置され、前記支持溝の中にはスライド棒チャンバが前後に貫通するように設置され、前記スライド棒が前記スライド棒チャンバを貫通している。
【０００７】
更の技術プラン、前記駆動装置は前記台座の中に設置された駆動チャンバを含み、前記駆動チャンバの中には下駆動歯車が回転可能に設置され、前記下駆動歯車の中にはモータ軸が固定的に連結され、前記駆動チャンバの下側内壁にはモータが固定的に設置され、前記モータ軸の下端が前記モータと伝動可能に連結され、前記下駆動歯車の左端には下従動歯車が噛み合えるように連結され、前記下従動歯車の中には長回転軸が固定的に連結され、前記長回転軸の上端が前記照明装置と連結され、前記下駆動歯車の上側には前記モータ軸に固定的に連結された上駆動歯車が回転可能に設置され、前記上駆動歯車の左端には上従動歯車が噛み合えるように連結され、前記上従動歯車のうち前記下従動歯車から離れた端には連結ブロックが固定的に設置され、前記連結ブロックの上端と前記展示用スタンドとが固定的に連結され、前記展示用スタンドの中には長回転軸チャンバが上下に貫通するように設置され、前記長回転軸チャンバの下端が前記連結ブロックと前記上従動歯車とを貫通しており、前記長回転軸の上端が前記長回転軸チャンバを貫通している。
【０００８】
更の技術プラン、前記照明装置は前記長回転軸の上端に固定的に連結された連結板を含み、前記連結板の中には電気伝導チャンバが左右対称に、且つ上下に貫通するに設置され、前記連結板の下端には電球が固定的に連結され、前記電球の上端には下電気伝導ブロックが固定的に連結され、前記電気伝導チャンバの中には上電気伝導ブロックがスライド可能に設置され、前記上電気伝導ブロックの上端には押しブロックが固定的に連結されている。
【発明の効果】
【０００９】
本発明の有益的効果は：本発明はシンプルな構成と便利な操作方法を有し、携帯電話を展示しようとする時には、携帯電話をガラススタンドの中に入れ、吸引盤で固定した後、傾斜させて展示を行い、携帯電話の照明展示と同時に回転展示が可能であり、また、台座をテーブルに固定することで装置の転覆を防げ、携帯電話を取り出した時は、吸引盤で携帯電話を展示チャンバから取り出すことができ、本発明は全方位から携帯電話を展示できるだけでなく、台座をテーブルに固定することで装置の転覆を防げ、また、素早く携帯電話を取り出し、客に操作方法の展示も行われる。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明である展示用携帯電話スタンドの内部構成略図
【図２】図２は図１におけるＡの拡大略図
【図３】図３は図１におけるＢの拡大略図
【図４】図４は図３におけるＣの拡大略図
【図５】図５は図４におけるＤ―Ｄ方向からの構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜５を参照し、本発明の展示用携帯電話スタンドは、台座１１を含み、前記台座１１の中には駆動装置１０１が設置され、前記駆動装置１０１の上端には展示用スタンド２３と照明装置１０３とが設置され、前記展示用スタンド２３の中には展示装置１００が左右対称に設置され、前記展示装置１００の上端には揺動装置１０２が連結され、前記展示装置１００は前記展示用スタンド２３の中に設置された後合わせに開口したスライドチャンバ３０を含み、前記スライドチャンバ３０の中にはスライドブロック３３がスライド可能に設置され、前記スライドブロック３３の中にはねじ穴３８が上下に貫通するように設置され、前記ねじ穴３８の中にはネジボルト３２がネジ山によって連結され、前記展示用スタンド２３の中には下に開口したネジボルトチャンバ３１が左右対称に設置され、前記ネジボルトチャンバ３１と前記スライドチャンバ３０とが連通しており、前記ネジボルト３２の下端には手動ブロック２２が固定的に連結され、前記ネジボルト３２の上端が前記揺動装置１０２と連結されており、前記スライドブロック３３の中には後合わせに  開口した伸縮チャンバ３９が設置され、前記伸縮チャンバ３９の中には伸縮棒３４がスライド可能に設置され、前記伸縮棒３４のうち対称中心に近接した端と、前記伸縮チャンバ３９のうち対称中心に近接した側の内壁との間には伸縮ばね４０が固定的に連結され、前記伸縮棒３４のうち対称中心から離れた端には吸引盤５０が回転可能に連結され、前記吸引盤５０の中には外部に開口した吸引盤チャンバ５１が設置され、前記吸引盤５０のうち開口が対称中心に向いた側には連結溝４９が設置されており、前記連結溝４９の前後両側内壁の間には連結棒４８が固定的に連結され、前記スライドブロック３３の中には連結穴４７が前後に貫通するように設置され、前記連結棒４８が前記連結穴４７を貫通しており、前記展示用スタンド２３には固定ブロック２４が左右対称に、且つ固定的に連結され、前記固定ブロック２４の中には揺動チャンバ２５が上下に貫通するように設置され、前記揺動チャンバ２５の前後両側内壁の間には揺動棒２８が固定的に連結され、前記揺動棒２８のにはガラススタンド２６が回転可能に設置され、前記ガラススタンド２６の中にはガラス穴２７が前後に貫通するように設置され、前記揺動棒２８が前記ガラス穴２７を貫通しており、前記ガラススタンド２６の中には上に開口した展示チャンバ２９が設置され、前記展示チャンバ２９のうち対称中心に近接した側の内壁には外部に開口したガラス溝５２が連通するように  設置され、前記吸引盤５０は前記展示チャンバ２９の中に伸びることができる。
【００１４】
好ましくは、前記揺動装置１０２は前記ネジボルトチャンバ３１の上側内壁の中に連通するように設置されたギアチャンバ３６を含み、前記ネジボルト３２の上端が前記ギアチャンバ３６の中に伸びており、且つ下傘歯車３５と固定的に連結され、前記下傘歯車３５のうち対称中心から離れた端には上傘歯車３７が噛み合えるように連結され、前記上傘歯車３７のうち前記下傘歯車３５から離れた端には回転軸５６が固定的に連結され、前記展示用スタンド２３の中には後合わせに開口した支持棒チャンバ５３が左右対称に設置され、前記支持棒チャンバ５３の中には支持棒５５がスライド可能に設置され、前記支持棒５５の中にはネジ山チャンバ５７が設置され、前記ネジ山チャンバ５７のうち前記回転軸５６に近接した側の内壁には向かい合って開口した位置制限穴５４が連通するように設置され、前記回転軸５６が前記ネジ山チャンバ５７の中に伸びており、且つネジ山ブロック５８と固定的に連結され、前記ネジ山ブロック５８と前記ネジ山チャンバ５７とがネジ山によって連結され、前記ガラススタンド２６の中には前記支持棒５５に向いて開口した支持溝５９が設置され、前記支持溝５９の前後両側内壁にはスライド溝６２が連通するように設置され、前記スライド溝６２の間にはスライド棒６１がスライド可能に設置され、前記支持溝５５の中にはスライド棒チャンバ６０が前後に貫通するように設置され、前記スライド棒６１が前記スライド棒チャンバ６０を貫通している。
【００１５】
好ましくは、前記駆動装置１０１は前記台座１１の中に設置された駆動チャンバ１９を含み、前記駆動チャンバ１９の中には下駆動歯車１４が回転可能に設置され、前記下駆動歯車１４の中にはモータ軸１３が固定的に連結され、前記駆動チャンバ１９の下側内壁にはモータ１２が固定的に設置され、前記モータ軸１３の下端が前記モータ１２と伝動可能に連結され、前記下駆動歯車１４の左端には下従動歯車１６が噛み合えるように連結され、前記下従動歯車１６の中には長回転軸１７が固定的に連結され、前記長回転軸１７の上端が前記照明装置１０３と連結され、前記下駆動歯車１４の上側には前記モータ軸１３に固定的に連結された上駆動歯車１５が回転可能に設置され、前記上駆動歯車１５の左端には上従動歯車１８が噛み合えるように連結され、前記上従動歯車１８のうち前記下従動歯車１６から離れた端には連結ブロック２０が固定的に設置され、前記連結ブロック２０の上端と前記展示用スタンド２８とが固定的に連結され、前記展示用スタンド２３の中には長回転軸チャンバ２１が上下に貫通するように設置され、前記長回転軸チャンバ２１の下端が前記連結ブロック２０と前記上従動歯車１８とを貫通しており、前記長回転軸１７の上端が前記長回転軸チャンバ２１を貫通している。  
【００１６】
好ましくは、前記照明装置１０３は前記長回転軸１７の上端に固定的に連結された連結板４１を含み、前記連結板４１の中には電気伝導チャンバ４２が左右対称に、且つ上下に貫通するに設置され、前記連結板４１の下端には電球４６が固定的に連結され、前記電球４６の上端には下電気伝導ブロック４５が固定的に連結され、前記電気伝導チャンバ４２の中には上電気伝導ブロック４４がスライド可能に設置され、前記上電気伝導ブロック４４の上端には押しブロック４３が固定的に連結されている。
【００１７】
使用時には、携帯電話を展示チャンバ２９に入れ、吸引盤５０によって携帯電話が吸着され、この時手動ブロック２２を回し、それによりスライドブロック３３を下へ滑らせ、同時に傘歯車を回転連動させ、これにより回転軸５６とネジ山ブロック５８とによって支持棒５５を滑らせ、ガラススタンド２６を揺動棒２８を中心に揺動させ、これにより携帯電話の揺動と傾斜とを連動させて展示を行い、モータ１２を起動し、モータ軸１３によって平歯車を回転連動させ、これにより下従動歯車１６が長回転軸１７によって連結板４１を回転連動させ、この時押しブロック４３を押し動かし、これにより電気伝導により電球４６がつけられ、同時に上従動歯車１８が連結ブロック２０を回転連動させ、これにより展示用スタンド２３を回転連動させ、上駆動歯車１５と上従動歯車１８との速度伝動比は下駆動歯車１４と下従動歯車１６との速度伝動比  より大きいであり、携帯電話を取り出して展示するときには、手動ブロック２２を逆方向に回し、これにより支持棒５５を互いに離れるように滑らせ、それによりガラススタンド２６を押し動かして逆方向に揺動させ、携帯電話を取り出す時に電球４６との接触を避け、これにより伸縮棒３４を連動させて滑らせ、伸縮ばね４０の弾力により、吸引盤５０が携帯電話を終始吸着しており、同時にネジボルト３２がスライドブロック３３を連動させて上に滑らせ、これにより吸引盤５０により携帯電話を連動させて展示チャンバ２９の外まで上に滑らせ、この時携帯電話を取り出せる。
【００１８】
有益的効果は：本発明はシンプルな構成と便利な操作方法を有し、携帯電話を展示しようとする時には、携帯電話をガラススタンドの中に入れ、吸引盤で固定した後、傾斜させて展示を行い、携帯電話の照明展示と同時に回転展示が可能であり、また、台座をテーブルに固定することで装置の転覆を防げ、携帯電話を取り出した時は、吸引盤で携帯電話を展示チャンバから取り出すことができ、本発明は全方位から携帯電話を展示できるだけでなく、台座をテーブルに固定することで装置の転覆を防げ、また、素早く携帯電話を取り出し、顧客に操作方法の展示も行われる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175145.tif 000003
【図２】
2020175145.tif 000004
【図３】
2020175145.tif 000005
【図４】
2020175145.tif 000006
【図５】
2020175145.tif 000007